(57)【要約】【課題】  ペルチェ素子により冷却する保冷ケースを備えた洗面化粧台において、保冷ケースを、化粧台や鏡ケースの任意の位置に比較的簡単に組み込み可能に構成する事を目的とするものである。【解決手段】  化粧台２と鏡ケース３とを備えたものにおいて、前面を開口し、かつペルチェ素子１７により冷却される保冷ケース１４と、ペルチェ素子を冷却する冷却機構とを一体化した保冷ユニット１０を、化粧台又は／及び鏡ケースの前面に着脱可能に装着した事を特徴として成る。【選択図】        図２
2006247080.tif 000002
【特許請求の範囲】
【請求項１】
化粧台と鏡ケースとを備えたものにおいて、前面を開口し、かつペルチェ素子により冷却される保冷ケースと、上記ペルチェ素子を冷却する冷却機構とを一体化した保冷ユニットを、上記化粧台又は／及び鏡ケースの前面に着脱可能に装着した事を特徴とする洗面化粧台。
【請求項２】
上記保冷ケースの開口に扉を開閉自在に装着した事を特徴とする、上記請求項１に記載の洗面化粧台。
【請求項３】
上記保冷ケースの下方に冷却機構を一体的に収納配置すると共に、この冷却機構の底面にペルチェ素子の放熱面に外気を吸排気する吸排気孔を設けた事を特徴とする、上記請求項１〜２に記載の洗面化粧台。
【発明の詳細な説明】
【技術分野】
【０００１】
本発明は、ペルチェ素子により冷却する保冷ケースを備えた洗面化粧台に関する。
【背景技術】
【０００２】
ペルチェ素子により冷却する保冷室を備えた洗面化粧台では、例えば特許文献１に示される様に、床面に設置されるフロアキャビネット１の上方に、前面パネル５を介してミラーキャビネット６を配置し、このミラーキャビネットの鏡２１の裏面に保冷室Ｃを形成したものがある。
【特許文献１】特開２００３−５６９６４号公報
【発明の開示】
【発明が解決しようとする課題】
【０００３】
又、上記特許文献１に示される洗面化粧台では、放熱室Ｈの上に保冷室Ｃを設け、これら放熱室と保冷室の間に熱源となるペルチェ素子１３を配置し、このペルチェ素子の吸熱面１３ａに吸熱フィンを当接し、この吸熱フィンより発生する冷気を保冷室Ｃ全体に循環して冷却し、ペルチェ素子１３の放熱面１３ｂに放熱フィン１６当接し、この放熱フィンを一対の放熱ファン１７，１８により外気を循環することで冷却している。
【０００４】
一方、上記の構成では、保冷室Ｃや放熱室Ｈをミラーキャビネット６に一体に構成している為、ミラーキャビネットを多機種設計する場合には、その都度保冷室Ｃや放熱室Ｈを設計する必要があり、キャビネットのコストアップを招くという問題がある。
【０００５】
そこで本発明は、構成の異なる複数の洗面化粧台にも、比較的簡単にペルチェ素子を用いた保冷ケースを組み込み可能に構成する事を目的とするものである。
【課題を解決するための手段】
【０００６】
本発明の請求項１の構成は、化粧台と鏡ケースとを備えたものにおいて、前面を開口し、かつペルチェ素子により冷却される保冷ケースと、ペルチェ素子を冷却する冷却機構とを一体化した保冷ユニットを、化粧台又は／及び鏡ケースの前面に着脱可能に装着して成るものである。
【０００７】
本発明の請求項２の構成は、請求項１の構成において、保冷ケースの開口に扉を開閉自在に装着して成るものである。
【０００８】
本発明の請求項３の構成は、請求項１〜２の構成において、保冷ケースの下方に冷却機構を一体的に収納配置すると共に、この冷却機構の底面にペルチェ素子の放熱面に外気を吸排気する吸排気孔を設けて成るものである。
【発明の効果】
【０００９】
本発明の請求項１に記載の構成により、ペルチェ素子により冷却する保冷ケースと、ペルチェ素子を冷却する冷却機構とを一体的にユニット化したことで、保冷ユニットを組み込むスペースを確保するのみで、構造の異なる洗面化粧台へ保冷ケースを容易に組み込む事が出来るものである。
【００１０】
本発明の請求項２に記載の構成により、保冷ケースの前面に専用の扉を装着したことで、洗面化粧台に固定した扉や鏡を利用する場合に比較し、保冷ケースの前面を確実に密閉して冷気の漏れによる冷却効率の低下等を防止する事が出来るものである。
【００１１】
本発明の請求項３に記載の構成により、保冷ユニットの底面に冷却機構の吸排気孔を配置したことで、保冷ユニットを例えば鏡ケースの洗面台に近い部分に収納すれば、これら吸排気孔へ外気を供給したり、排気を外部へ排気するための吸排気路を形成する必要がなく、洗面化粧台への組み込みを簡単に行う事が出来るものである。
【発明を実施するための最良の形態】
【００１２】
本発明の実施例を先ず図１に基づき説明すると、１は洗面化粧台本体で、洗面所等の床面に設置される化粧台２と、この化粧台の上面後端部の上に設置される鏡ケース３とで構成している。
【００１３】
上記化粧台２は、前面に扉４や複数の引出し５，５を開閉或いは出し入れ自在に装着していると共に、天面に洗面器６を一体的に装着している。
【００１４】
上記鏡ケース３は、前面に左右方向に３分割した鏡７，８，９を開閉自在に枢支し、かつこれら鏡の内部に図示しない複数の収納棚を配置している。
【００１５】
一方、上記鏡９の内部には、その下部に保冷ユニット１０を収納配置していると共に、この保冷ユニットの上方に複数の棚１１，１１で区画した収納室１２，１２を形成している。
【００１６】
又、上記保冷ユニット１０は、図２にても示す様に、ユニットケース１３内の中央部上方寄りに、前面を開口し、かつ金属板にて形成した保冷ケース１４を収納配置していると共に、底面の中心部を除く外周囲を発泡ウレタン等の断熱材１５で包囲している。
【００１７】
そして、上記保冷ケース１４の底板１６の底面にペルチェ素子１７の吸熱面１７ａを密着固定し、かつペルチェ素子１７の放熱面１７ｂにはアルミニウムや銅等の熱伝導率の高い金属で形成した放熱フィン１８を密着固定している。
【００１８】
更に、上記ユニットケース１３内の放熱フィン１８の真下には、冷却ファン１９を水平に配設していると共に、この冷却ファンの吸気孔２０に吸気通路２１を連通している。
【００１９】
又、上記吸気通路２１の左右にはこれに隣接して排気通路２２，２３を区画形成し、これら排気通路の一端を上記放熱フィン１８を介して冷却ファン１９の排気部に連通し、他端を上記ユニットケース１３の底板２４に穿孔した排気孔２５，２６に連通し、これらにて冷却機構を構成している。
【００２０】
尚、上記底板２４の排気孔２５，２６間には、上記吸気通路２１に連通する吸気孔２７を穿孔している。
【００２１】
これにより、上記冷却ファン１９の回転により、吸気孔２７より外気を吸引して放熱フィン１８に送風し、放熱フィンを冷却した冷却後の温風を排気通路２２，２３を介して排気孔２５，２６より外部に排出する。
【００２２】
一方、上記保冷ケース１４の前面には、図３にても示す様にその開口を開閉自在に閉塞する扉２８を枢支していると共に、ユニットケース１３前面の扉２８上方には電源スイッチ２９を配置し、これにより保冷ユニット１０を化粧台２や鏡ケース３の任意に位置に組み込み可能に構成している。
【００２３】
又、上記実施例では底板２４に排気孔２５，２６や吸気孔２７を集中配置し、これにより、保冷ユニット１０を例えば図１に示す様な鏡ケース３の下部に組み込めば、上記排気孔２５，２６や吸気孔２７への通気路を形成する必要がなく、簡単な構成にて保冷ユニット１０の組み込みが可能となるが、これに限定されることなく、化粧台２や鏡ケース３の任意の位置に組み込んでも良い。
【００２４】
更に、上記実施例では底板２４に排気孔２５，２６や吸気孔２７を集中配置しているが、これに限定されることなく、ユニットケース１３の前面や側面、背面に排気孔２５，２６や吸気孔２７を形成しても良い。
【００２５】
そして又、上記実施例ではユニットケース１３の前面に扉２８を枢支しているが、化粧台２や鏡ケース３に枢支した扉や鏡を扉として利用しても良く、扉２８をユニットケース１３に固定し、ロック機構やドアパッキンを装着すれば、冷気の漏洩による冷却効率の低下を防止する事が出来るものである。尚、扉２８は上下或いは左右どちらの方向に開閉する様に構成しても良い。
【００２６】
而して、電源スイッチ２９をオン操作してペルチェ素子１７や冷却ファン１９に通電することで、ペルチェ素子１７の吸熱面１７ａにて保冷ケース１４を冷却し、この保冷ケース１４内に収納された化粧品や洗面道具等を冷却し、これらの夏場等における変質や劣化を防止する事が出来るものである。
【００２７】
又、上記ペルチェ素子１７の吸熱面１７ａによる冷却にて放熱面１７ｂが温度上昇するが、冷却ファン１９により放熱フィン１８に外気が送風されて冷却され、この放熱フィンにて放熱面１７ｂが確実に冷却される。
【図面の簡単な説明】
【００２８】
【図１】本発明の実施例を示す斜視図である。
【図２】同じく保冷ユニットの一部破断による正面図である。
【図３】同じく保冷ユニットの正面図である。
【符号の説明】
【００２９】
２    化粧台
３    鏡ケース
１０  保冷ユニット
１４  保冷ケース
１７  ペルチェ素子
２０  吸気孔
２５  排気孔
２６  排気孔
２８  扉
【図１】
2006247080.tif 000003
【図２】
2006247080.tif 000004
【図３】
2006247080.tif 000005